(57)【要約】      （修正有）【課題】同軸マイクロ波コネクタプラグの端子と同軸ケーブルの内導線との結合構造を改善し、加工をより至便にして、比較的簡単で廉価な加工機械で製造することができ、且つ製品の不良品率を低減できるようにすること。【解決手段】ＲＦ通信用マイクロ波コネクタであって、絶縁体５６２に結合される金属殻体５６１を備えるプラグ５６を有し、絶縁体は中空部から本体を備えるメス端子５０と結合され、本体の一端の両側に、オス端子５７３を挟持するための相対する２つの接触片５２が延伸し、本体の他端は、両辺が対称的な弧状の湾曲を呈する弧状の挟持部５３を有し、挟持部に同軸ケーブル５５の内導線５５１を結合する作業において、挟持部の両辺が滑らかに対向的に折り曲げられて、内導線をしっかりと挟み込むことからなる。【選択図】図８
0003109957.tif 000002
【実用新案登録請求の範囲】
【請求項１】
ＲＦ通信用マイクロ波コネクタであって、絶縁体に結合される金属殻体を備えるプラグを有し、前記絶縁体は中空部から本体を備えるメス端子と結合され、前記本体の一端の両側に、オス端子を挟持するための相対する２つの接触片が延伸し、該本体の他端は、両辺が対称的な弧状の湾曲を呈する弧状の挟持部を有し、前記挟持部に同軸ケーブルの内導線を結合する作業において、該挟持部の両辺が滑らかに対向的に折り曲げられて、前記内導線をしっかりと挟み込むことを特徴とするＲＦ通信用マイクロ波コネクタ。
【請求項２】
前記挟持部の両辺の端部は、対応的な凸ほぞと凹溝を有し、前記両辺を折り曲げると、前記凸ほぞが凹溝に嵌着されることを特徴とする請求項１記載のＲＦ通信用マイクロ波コネクタ。
【請求項３】
前記挟持部の弧面は溝孔を有し、前記内導線が挟持部に挟持される作業において、前記溝孔に対応する一部の内導線が力を受けて変形し、溝孔の中に落ち込むことを特徴とする請求項１記載のＲＦ通信用マイクロ波コネクタ。
【請求項４】
前記本体は前記挟持部に近い内側に突起部を有し、前記内導線が該挟持部に挿入する長さを制限することを特徴とする請求項１記載のＲＦ通信用マイクロ波コネクタ。
【請求項５】
前記本体は２つの接触片の外側の端に位置止め部を有し、前記絶縁体は前記位置止め部を収納する挿入溝を有し、前記メス端子をより簡単に該絶縁体内に位置止めされるようにすることを特徴とする請求項１記載のＲＦ通信用マイクロ波コネクタ。
【請求項６】
さらに、前記ＲＦ通信用マイクロ波コネクタは、金属外殻を備え、前記プラグが挿入するために用いられるソケットを有し、前記金属外殻の下端は前記金属外殻の内部に挿入し、且つ中央部において突出端が形成される絶縁体に結合され、前記突出端は内部においてオス端子と結合されることを特徴とする請求項１記載のＲＦ通信用マイクロ波コネクタ。
【請求項７】
前記挟持部の両辺の端部にそれぞれ対応する高部及び低部を有し、片辺の高部及び低部がそれぞれもう片辺の低部及び高部に接するように挟持部の両辺を折り曲げることを特徴とする請求項１記載のＲＦ通信用マイクロ波コネクタ。
【請求項８】
前記突起部が棒状を呈し、且つ前記２つの接触片の間に延伸することを特徴とする請求項４記載のＲＦ通信用マイクロ波コネクタ。
【請求項９】
前記挟持部の両辺の端部にある高部及び低部にそれぞれ対応する傾斜部を有し、両辺の傾斜部が接するように挟持部の両辺を折り曲げることを特徴とする請求項７記載のＲＦ通信用マイクロ波コネクタ。
【考案の詳細な説明】
【技術分野】
【０００１】
本考案は、電気コネクタ、とくにＲＦ（Radio Frequency）通信用マイクロ波コネクタに関するものである。
【背景技術】
【０００２】
図１Ａ，１Ｂは、既知の同軸マイクロ波コネクタを示す図であって、プラグとソケットを有している。前記プラグはメス端子１０を有し、メス端子１０の一端は相対する２つの接触片１１，他端はフラッパ１２を有する。フラッパ１２は切口１２１を有する。２つの接触片１１は、ソケットのオス端子を挟持するために用いられる。切口１２１は、同軸ケーブル１３の内導線１３１の挿通に用いられる。内導線１３１は、図１Ｂで示されるように、メス端子１０の上面に溶接される。
【０００３】
図２Ａ，２Ｂは、既知の別の同軸マイクロ波コネクタを示す図であって、そのプラグはメス端子２０を有している。メス端子２０の一端は相対する２つの接触片２１を，他端は相対するフラッパ２２及び突出部２３を有している。フラッパ２２は切口２２１を有し、２つの接触片２１は、ソケットのオス端子を挟持するために用いられる。切口２２１は、同軸ケーブル２４の内導線２４１の挿通に用いられる。内導線２４１は、図２Ｂで示されるように、メス端子２０の上面に溶接される。
【０００４】
出願者が出願し許可された名称が「超小型同軸マイクロ波コネクタ、SUPER MINI COAXIAL MICROWAVE CONNECTOR」の第6,648,653号米国特許は、プラグとソケットを有しており、プラグは絶縁体に結合する金属殻体を有し、絶縁体の中空部はメス端子に結合されている。図３を参照されたい。メス端子３０は相対する２つの接触片３１，２つのフラッパ３２，及び頂面部３３を有する。２つの接触片３１は、ソケットのオス端子を挟持するために用いられ、同軸ケーブル３６の内導線３６１は、頂面部３３及び２つのフラッパ３２との間に溶接される。
【０００５】
上述した手動で同軸ケーブルとメス端子を溶接する製造方法においては、自動化機械による加工方法に代えられないため、人力と時間の浪費が甚だしい。
【０００６】
図４Ａ−４Ｃは、別の既知の同軸マイクロ波コネクタを示す図であって、メス端子４０の一端は２つの相対する接触片４１を，他端は挟持部４２を有している。２つの接触片４１は、ソケットのオス端子を挟持するために用いられる。挟持部４２の底部は弧状を呈し、その底部の片辺に折り曲げ可能部材４２１が上方に延伸している。同軸ケーブル４３の内導線４３１は、図４Ｂで示されるように、挟持部４２の底部と折り曲がった折り曲げ可能部材４２１との間に包み挟まれる。
【考案の開示】
【考案が解決しようとする課題】
【０００７】
上述した挟持部４２の折り曲げ可能部材４２１を折り曲げて、同軸ケーブル４３の内導線４３１を締め付ける製造方法においては、手動加工方法の代替として自動化機械を用いることができ、人力も時間も比較的に節減されるものの、折り曲げ可能部材４２１は極めて長いため、比較的精巧で高価な折り曲げ装置がないと、折り曲げ可能部材４２１を弧状底部の他端と緊密に接触するよう滑らかに半円弧状に折り曲げることができない。折り曲げ可能部材４２１は挟持部４２の弧状底部の他端と緊密に接触するよう滑らかに折り曲げられていなかったら、内導線４３１を締め付ける機能に影響を及ぼし、コネクタの信号伝送品質に影響することにもなり、不良品と化してしまう。
【０００８】
そこで、本考案は、同軸マイクロ波コネクタプラグの端子と同軸ケーブルの内導線との結合構造を改善し、加工をより至便にして、比較的簡単で廉価な加工機械で製造することができ、且つ製品の不良品率を低減できるようにすることを目的とする。
【０００９】
即ち、本考案は、プラグのメス端子を同軸ケーブルの内導線とより容易に結合加工できるようにＲＦ通信用マイクロ波コネクタを提供することを主な目的とする。
【００１０】
又、本考案は、プラグのメス端子を同軸ケーブルの内導線と緩まないようにより緊密に結合させて、製品の良品率を向上させるために、ＲＦ通信用マイクロ波コネクタを提供することをもう一つの目的とする。
【００１１】
又、本考案は、より簡単で廉価な加工機械を用いて、プラグのメス端子を同軸ケーブルの内導線とより緊密に結合させるようにすることをもう一つの目的とする。
【課題を解決するための手段】
【００１２】
前記目的を達成するため、本考案のＲＦ通信用マイクロ波コネクタは、
絶縁体に結合される金属殻体を備えるプラグを有し、前記絶縁体は中空部から本体を備えるメス端子と結合され、前記本体の一端の両側に、オス端子を挟持するための相対する２つの接触片が延伸し、該本体の他端は、両辺が対称的な弧状の湾曲を呈する弧状の挟持部を有し、前記挟持部に同軸ケーブルの内導線を結合する作業において、該挟持部の両辺が滑らかに対向的に折り曲げられて、前記内導線をしっかりと挟み込むことからなる。
【００１３】
又、前記挟持部の両辺の端部は、対応的な凸ほぞと凹溝を有し、前記両辺を折り曲げると、前記凸ほぞが凹溝に嵌着されることが好適である。
【００１４】
又、前記挟持部の弧面は溝孔を有し、前記内導線が挟持部に挟持される作業において、前記溝孔に対応する一部の内導線が力を受けて変形し、溝孔の中に落ち込むことが好適である。
【００１５】
又、前記本体は前記挟持部に近い内側に突起部を有し、前記内導線が該挟持部に挿入する長さを制限することが好適である。
【００１６】
又、前記本体は２つの接触片の外側の端に位置止め部を有し、前記絶縁体は前記位置止め部を収納する挿入溝を有し、前記メス端子をより簡単に該絶縁体に位置止めされるようにすることが好適である。
【００１７】
又、さらに、前記ＲＦ通信用マイクロ波コネクタは、金属外殻を備え、前記プラグが挿入するために用いられるソケットを有し、前記金属外殻の下端は前記金属外殻の内部に挿入し、且つ中央部において突出端が形成される絶縁体に結合され、前記突出端は内部においてオス端子と結合されることが好適である。
【００１８】
又、前記挟持部の両辺の端部にそれぞれ対応する高部及び低部を有し、片辺の高部及び低部がそれぞれもう片辺の低部及び高部に接するように挟持部の両辺を折り曲げることが好適である。
【００１９】
又、前記突起部が棒状を呈し、且つ前記２つの接触片の間に延伸することが好適である。
【００２０】
さらに、前記挟持部の両辺の端部にある高部及び低部にそれぞれ対応する傾斜部を有し、両辺の傾斜部が接するように挟持部の両辺を折り曲げることが好適である。
【考案の効果】
【００２１】
本考案は、同軸マイクロ波コネクタプラグの端子と同軸ケーブルの内導線との結合構造を顕著に改善し、加工をより至便にして、比較的簡単で廉価な加工機械を用いて製造することができ、且つ製品の不良品率を低減することができる。
【考案を実施するための最良の形態】
【００２２】
本考案のその他の目的、機能について、図面に基づいて下記の如く説明する。
図５Ａ−５Ｅを参照されたい。本考案第１実施例のメス端子５０は本体５１を有している。本体５１の一端の両側に、オス端子に結合するための相対する２つの接触片５２が延伸している。本体５１の他端はその円弧面に溝孔５３１を備える弧状の挟持部５３を有する。挟持部５３の両辺５３２，５３３は対称的な弧状の湾曲を呈している。本体５１は挟持部５３に近い内側に２つの接触片５２の間へと延伸している棒状突起部５４を備える。
【００２３】
本実施例のメス端子５０の挟持部５３の両辺５３２，５３３が対称的な弧状の湾曲を呈する設計においては、比較的簡単で廉価な加工機械を用いて、挟持部５３の両辺５３２，５３３を滑らかに対向的に折り曲げさせ、同軸ケーブル５５の内導線５５１をしっかりと挟み込ませることができる。挟持部５３に同軸ケーブル５５の内導線５５１を挟持させる加工作業において、突起部５４は、内導線５５１が挟持部５３に挿入する長さを制限するのに用いられる。
【００２４】
内導線５５１が挟持部５３の内側に嵌入されると、内導線５５１の先端は突起部５４にぶつかって所定の位置まで到達する。したがって、メス端子５０が突起部５４を備える設計は、同軸ケーブル５５の内導線５５１を挟持する加工作業において、加工機械に内導線５５１が被挟持位置に到達することを確定させる機能を有する。
【００２５】
内導線５５１が挟持部５３に挟持される過程において、溝孔５３１に対応する一部の内導線５５１は力を受けて変形し、溝孔５３１の中に落ち込んでいく。同軸ケーブル５５が挟持部５３から離脱させる張力を受けた場合、溝孔５３１に落ち込んだ内導線５５１の変形部分に抵抗力があるので、内導線５５１を挟持部５３から離脱させることは比較的少ない。
【００２６】
図６Ａ−６Ｃを参照されたい。本考案第２実施例のメス端子６０は、前記第１実施例のメス端子５０の形状と大体同様であり、本体６１と相対する２つの接触片６２と、挟持部６３と、溝孔６３１と、突起部６４とを有してなる。異なるのは挟持部６３の両辺６３２，６３３の端部に対応する凸ほぞ６３４と凹溝６３５とを備えることである。
【００２７】
両辺６３２，６３３を折り曲げると、凸ほぞ６３４が凹溝６３５に嵌着されるので、両辺６３２，６３３を精確に対称的に折り曲げるのに有利であり。接触端を完璧に密着させることができ、ゆがんだ接触状態が生じることは比較的少なく、同軸ケーブル５５の内導線５５１が最大の挟持力を受けるので、より強固に挟持部６３と結合される。
【００２８】
図７Ａ−７Ｃを参照されたい。本考案第３実施例のメス端子７０は、前記第１実施例のメス端子５０の形状と大体同様であり、本体７１と相対する２つの接触片７２と、挟持部７３と、溝孔７３１と、突起部７４とを有して成る。異なるのは本体７１の２つの接触片７２の外側の端には上方に折り曲げられる位置止め部７５を有する。位置止め部７５の設計によって、メス端子７０をより簡単にプラグの絶縁体に位置止めすることができる。
【００２９】
図８を参照されたい。本考案の前記第１実施例のメス端子５０は、同軸ケーブル５５に結合した後、プラグ５６の中に結合される。プラグ５６は金属殻体５６１を有し、金属殻体５６１は絶縁体５６２に結合される。絶縁体５６２の中空部はメス端子５０と金属殻体５６１とが接触しないようにメス端子５０に結合する。
【００３０】
プラグ５６と結合するソケット５７は、金属外殻５７１を有し、金属外殻５７１の下端は絶縁体５７２に結合されている。絶縁体５７２は金属外殻５７１の内部に挿入され、且つ中央部において突出端が形成されており、該突出端はオス端子５７３に結合する。オス端子５７３の下端は絶縁体５７２と金属外殻５７１の外側に伸びている。プラグ５６のメス端子５０の２つの接触片５２をソケット５７のオス端子５７３の両側に外嵌し、２つの信号端を接続させる。金属殻体５６１は金属外殻５７１の外側に外嵌し、２つの接地端を接続させる。
【００３１】
図９を参照されたい。本考案の前記第３実施例のメス端子７０は、同軸ケーブル５５に結合した後、プラグ７６の中に結合される。プラグ７６は絶縁体７６２に結合される金属殻体７６１を有し、絶縁体７６２は、メス端子７０の位置止め部７５を収納する７６３を有する。位置止め部７５の設計によって、メス端子７０はより簡単に絶縁体７６２の中に位置止めされることができる。プラグ７６はソケット５７に挿入するためにも用いられる。
【００３２】
図１０Ａ−１０Ｃを参照されたい。本考案第４実施例のメス端子８０は、前記第１実施例のメス端子５０の形状と大体同様であり、本体８１と相対する２つの接触片８２と、挟持部８３と、溝孔８３１と、突起部８４とを有して成る。異なるのは挟持部８３の両辺の端部にそれぞれ対応する高部８３２，８３３，底部８３４，８３５及び傾斜部８３６，８３７を有することである。
【００３３】
片辺の高部８３２、傾斜部８３６及び底部８３４がそれぞれもう片辺の底部８３５，傾斜部８３７及び高部８３３に接するように挟持部８３の両辺を折り曲げると、両辺を精確に対称的に折り曲げるのに有利であり、両辺の接触端を完璧に密着させることができ、ゆがんだ接触状態が生じることは比較的少なく、同軸ケーブル５５の内導線５５１が最大の挟持力を受けるので、より強固に挟持部８３と結合される。
【００３４】
上記の記載は、本考案の技術内容に基づいた実施例だけであって、本技術に熟達した技術者による本考案の応用に基づいたいかなる修正も、変化も、本考案が主張する請求の範囲に属し、実施例で提示されたものに限定されない。
【図面の簡単な説明】
【００３５】
【図１Ａ】第１種の既知のメス端子と同軸ケーブルの分離及び結合の立体図である。
【図１Ｂ】第１種の既知のメス端子と同軸ケーブルの分離及び結合の立体図である。
【図２Ａ】第２種の既知のメス端子と同軸ケーブルの分離及び結合の立体図である。
【図２Ｂ】第２種の既知のメス端子と同軸ケーブルの分離及び結合の立体図である。
【図３】第３種の既知のメス端子と同軸ケーブルが分離された立体図である。
【図４Ａ】第４種の既知のメス端子と同軸ケーブルが分離及び結合された立体図である。
【図４Ｂ】第４種の既知のメス端子と同軸ケーブルが分離及び結合された立体図である。
【図４Ｃ】第４種の既知のメス端子の側面図である。
【図５Ａ】本考案第１実施例におけるメス端子と同軸ケーブルが分離及び結合された立体図である。
【図５Ｂ】本考案第１実施例におけるメス端子と同軸ケーブルが分離及び結合された立体図である。
【図５Ｃ】本考案第１実施例におけるメス端子の側面図である。
【図５Ｄ】本考案第１実施例におけるメス端子と同軸ケーブルの内導線と結合された略図である。
【図５Ｅ】本考案第１実施例におけるメス端子の他方の側面図である。
【図６Ａ】本考案第２実施例におけるメス端子と同軸ケーブルが分離及び結合した立体図である。
【図６Ｂ】本考案第２実施例におけるメス端子と同軸ケーブルが分離及び結合した立体図である。
【図６Ｃ】本考案第２実施例におけるメス端子の側面図である。
【図７Ａ】本考案第３実施例におけるメス端子と同軸ケーブルが分離された立体図である。
【図７Ｂ】本考案第３実施例におけるメス端子の側面図である。
【図７Ｃ】本考案第３実施例におけるメス端子の他方の側面図である。
【図８】本考案第１実施例におけるプラグとソケットの断面図である。
【図９】本考案第３実施例におけるプラグとソケットの断面図である。
【図１０Ａ】本考案第４実施例におけるメス端子と同軸ケーブルが分離及び結合された立体図である。
【図１０Ｂ】本考案第４実施例におけるメス端子と同軸ケーブルが分離及び結合された立体図である。
【図１０Ｃ】本考案第４実施例におけるメス端子の側面図である。
【符号の説明】
【００３６】
５０，６０，７０，８０    メス端子
５１，６１，７１，８１    本体
５２，６２，７２，８２    接触片
５３，６３，７３，８３    挟持部
５３１，６３１，７３１，８３１    溝孔
５３２，５３３，６３２，６３３    辺
５４，６４，７４，８４    突起部
５５    同軸ケーブル
５５１    内導線
５６，７６    プラグ
５６１，７６１    金属殻体
５６２，５７２，７６２    絶縁体
５７    ソケット
５７１    金属外殻
５７３    オス端子
６３４    凸ほぞ
６３５    凹溝
７５    位置止め部
８３２，８３３    高部
８３４，８３５    底部
８３６，８３７    傾斜部
【図１Ａ】
0003109957.tif 000003
【図１Ｂ】
0003109957.tif 000004
【図２Ａ】
0003109957.tif 000005
【図２Ｂ】
0003109957.tif 000006
【図３】
0003109957.tif 000007
【図４Ａ】
0003109957.tif 000008
【図４Ｂ】
0003109957.tif 000009
【図４Ｃ】
0003109957.tif 000010
【図５Ａ】
0003109957.tif 000011
【図５Ｂ】
0003109957.tif 000012
【図５Ｃ】
0003109957.tif 000013
【図５Ｄ】
0003109957.tif 000014
【図５Ｅ】
0003109957.tif 000015
【図６Ａ】
0003109957.tif 000016
【図６Ｂ】
0003109957.tif 000017
【図６Ｃ】
0003109957.tif 000018
【図７Ａ】
0003109957.tif 000019
【図７Ｂ】
0003109957.tif 000020
【図７Ｃ】
0003109957.tif 000021
【図８】
0003109957.tif 000022
【図９】
0003109957.tif 000023
【図１０Ａ】
0003109957.tif 000024
【図１０Ｂ】
0003109957.tif 000025
【図１０Ｃ】
0003109957.tif 000026